(57)【要約】【課題】撮像装置が設定スケジュール通りに動作しているか否かを簡単に確認することができる映像記憶装置及び映像記憶システムを提供する。【解決手段】撮像装置から単位映像データを受信したときに、その時点の現在時刻を実録画開始時刻として書き込み、当該実録画開始時刻と予め設定された設定録画開始時刻とを比較してその比較結果に基づいて通知を行う。【選択図】図１
2012170001.tif 000002
【特許請求の範囲】
【請求項１】
撮像装置から通信ネットワークを介して供給される単位映像データを順に受信して前記単位映像データを含む録画ファイルを前記撮像装置に対応させて生成及び記憶する映像記憶装置であって、
前記撮像装置から前記単位映像データを受信したときに、その時点の現在時刻を実録画開始時刻として前記録画ファイルに書き込む時刻書込み手段と、
前記録画ファイルに書き込まれた前記実録画開始時刻と予め設定された設定録画開始時刻とを比較してその比較結果に基づいて通知を行う開始時刻比較通知手段と、を含むことを特徴とする映像記憶装置。
【請求項２】
前記撮像装置から前記単位映像データを受信した時点から所定時間が経過したときに、その時点の現在時刻を実録画終了時刻として前記録画ファイルに書き込む終了時刻書込み手段と、
前記録画ファイルに書き込まれた前記実録画終了時刻と予め設定された設定録画終了時刻とを比較してその比較結果に基づいて通知を行う終了時刻比較通知手段と、を更に含むことを特徴とする請求項１に記載の映像記憶装置。
【請求項３】
前記映像記憶装置は複数の前記撮像装置から前記単位映像データが供給され、複数の前記撮像装置のそれぞれに対応付けて前記録画ファイルを生成することを特徴とする請求項１又は２に記載の映像記憶装置。
【請求項４】
撮像装置と、前記撮像装置から通信ネットワークを介して供給される単位映像データを受信して前記単位映像データを含む録画ファイルを前記撮像装置に対応させて生成及び記憶する映像記憶装置と、を含む映像記憶システムであって、
前記映像記憶装置は、
前記撮像装置から前記単位映像データを受信したときに、その時点の現在時刻を実録画開始時刻として前記録画ファイルに書き込む開始時刻書込み手段と、
前記録画ファイルに書き込まれた実録画開始時刻と予め設定された設定録画開始時刻とを比較してその比較結果に基づいて通知を行う開始時刻比較通知手段と、を含むことを特徴とする映像記憶システム。
【請求項５】
前記映像記憶装置は、
前記撮像装置から前記単位映像データを受信した時点から所定時間が経過したときに、その時点の現在時刻を実録画終了時刻として前記録画ファイルに書き込む終了時刻書込み手段と、
前記録画ファイルに書き込まれた前記実録画終了時刻と予め設定された設定録画終了時刻とを比較してその比較結果に基づいて通知を行う終了時刻比較通知手段と、を更に含むことを特徴とする請求項４に記載の映像記憶システム。
【請求項６】
前記映像記憶装置は複数の前記撮像装置から前記単位映像データが供給され、複数の前記撮像装置のそれぞれに対応付けて前記録画ファイルを生成することを特徴とする請求項４又は５に記載の映像記憶システム。
【発明の詳細な説明】
【技術分野】
【０００１】
本発明は、撮像装置から供給される映像データを記憶する映像記憶装置及び映像記憶システムに関する。
【背景技術】
【０００２】
例えばＩＰ（Internet Protocol）カメラなどの撮像装置から供給される映像データを記憶する映像記憶装置や映像記憶システムが知られている（例えば特許文献１）。従来、撮像装置が予め設定された設定スケジュール通りに動作しているか否かの確認は、当該撮像装置から供給される映像データの実録画開始時刻及び実録画終了時刻を、映像記憶システムの運用者が確認することにより行われていた。
【先行技術文献】
【特許文献】
【０００３】
【特許文献１】特開２００５−１１７３３９号公報
【発明の概要】
【発明が解決しようとする課題】
【０００４】
しかしながら、上記した従来の方法の場合、映像記憶装置に対して複数の撮像装置の各々から映像データが供給されたときには、運用者は映像データの各々について実録画開始時刻及び実録画終了時刻を確認しなければならず、確認に多くの時間を要することとなり運用者の確認負荷が大きくなってしまうという問題があった。
【０００５】
本発明は上記した如き問題点に鑑みてなされたものであって、撮像装置が設定スケジュール通りに動作しているか否かを簡単に確認することができる映像記憶装置及び映像記憶システムを提供することを目的とする。
【課題を解決するための手段】
【０００６】
本発明による映像記憶装置は、撮像装置から通信ネットワークを介して供給される単位映像データを順に受信して前記単位映像データを含む録画ファイルを前記撮像装置に対応させて生成及び記憶する映像記憶装置であって、前記撮像装置から前記単位映像データを受信したときに、その時点の現在時刻を実録画開始時刻として前記録画ファイルに書き込む時刻書込み手段と、前記録画ファイルに書き込まれた前記実録画開始時刻と予め設定された設定録画開始時刻とを比較してその比較結果に基づいて通知を行う開始時刻比較通知手段と、を含むことを特徴とする。
【０００７】
本発明による映像記憶システムは、撮像装置と、前記撮像装置から通信ネットワークを介して供給される単位映像データを受信して前記単位映像データを含む録画ファイルを前記撮像装置に対応させて生成及び記憶する映像記憶装置と、を含む映像記憶システムであって、前記映像記憶装置は、前記撮像装置から前記単位映像データを受信したときに、その時点の現在時刻を実録画開始時刻として前記録画ファイルに書き込む開始時刻書込み手段と、前記録画ファイルに書き込まれた実録画開始時刻と予め設定された設定録画開始時刻とを比較してその比較結果に基づいて通知を行う開始時刻比較通知手段と、を含むことを特徴とする。
【発明の効果】
【０００８】
本発明による映像記憶装置及び映像記憶システムによれば、撮像装置が設定スケジュール通りに動作しているか否かを簡単に確認することができる。
【図面の簡単な説明】
【０００９】
【図１】本発明の実施例である映像記憶システムの構成を示すブロック図である。
【図２】図1の映像記憶装置に含まれる録画スケジュール設定テーブルの一例を示す図である。
【図３】図1の映像記憶装置に含まれる時刻チェック管理テーブルの一例を示す図である。
【図４】図1の映像記憶装置による録画ファイル生成処理ルーチンを示すフローチャートである。
【図５】図1の映像記憶装置による時刻チェック処理ルーチンを示すフローチャートである。
【図６】録画スケジュール設定テーブルの別の一例を示す図である。
【図７】時刻チェック管理テーブルの別の一例を示す図である。
【発明を実施するための形態】
【００１０】
以下、本発明に係る実施例について添付の図面を参照しつつ詳細に説明する。
【００１１】
＜第１の実施例＞
図１は本発明の実施例である映像記憶システム１の構成を示すブロック図である。映像記憶システム１は、ＩＰカメラ２−１〜２−ｎ（ｎは２以上の整数）と、これらの各々から通信網３を介して供給される単位映像データを記憶する映像記録装置４と、を含む。
【００１２】
ＩＰカメラ２−１は、撮像によって単位映像データを順次生成し、当該単位映像データを含むパケットを通信網３を介して映像記録装置４に順次供給する。単位映像データは例えば１秒などの単位撮像時間長に対応する映像データである。
【００１３】
ＩＰカメラ２−２〜２−ｎの各々も同様の機能を有する。ＩＰカメラ２−２〜２−ｎの各々には、これらを識別するための固有のＩＰカメラ識別子が対応付けられている。
【００１４】
ＩＰカメラ２−１〜２−ｎの各々は、設定スケジュールに従って録画動作を行う。ＩＰカメラ２−１〜２−ｎの各々は、例えば、自身のＩＰカメラ識別子に対応する設定録画開始時刻及び設定録画終了時刻の情報を通信網３を介して後述の録画スケジュール設定テーブル１５から取得し、これらの設定時刻に従って録画を開始及び終了するようにしてもよく、映像記録装置４からの録画開始及び終了の指示に基づいて録画を開始及び終了するようにしてもよい。また、ＩＰカメラ２−１〜２−ｎの各々は、録画スケジュール設定テーブル１５に設定された開始及び終了時刻とは無関係に予めスケジュール設定された録画開始時刻及び録画終了時刻に従って録画を開始及び終了しても良い。
【００１５】
通信網３は、例えばインターネット網やＬＡＮ（Local Area Network）などの通信ネットワークである。
【００１６】
映像記録装置４は、ＩＰカメラ２−１〜２−ｎの各々から供給される単位映像データを順次受信して、その単位映像データを含む録画ファイルをＩＰカメラ２−１〜２−ｎの各々に対応して生成及び記憶する例えばサーバなどの装置である。
【００１７】
映像記録装置４は、映像データ受信部１１と、録画ファイル記憶部１２と、時刻書込み部１３と、時刻チェック部１４と、録画スケジュール設定テーブル１５と、時刻チェック管理テーブル１６と、通知部１７と、を含む。
【００１８】
映像データ受信部１１は、ＩＰカメラ２−１〜２−ｎの各々から供給される単位映像データを通信網３を介して受信する。
【００１９】
録画ファイル記憶部１２は、映像データ受信部１１によってIPカメラ２−１〜２−ｎの各々から受信された単位映像データを含む録画ファイルをＩＰカメラ２−１〜２−ｎの各々に対応して生成及び記憶する。録画ファイル記憶部１２は、例えばハードディスクなどの記憶媒体（図示せず）を備え、これに単位映像データを記憶する。１つの録画ファイルに含まれる単位映像データの集合は、ＩＰカメラ２−１〜２−ｎのうちの１つのＩＰカメラ２による撮像によって得られた１日分の映像データの全体又は一部である。
【００２０】
録画ファイル記憶部１２は、録画ファイルを記憶すると共に、当該録画ファイルの識別子（以下、録画ファイル識別子と称する）と、当該録画ファイルに書き込まれるべき単位映像データを送信した１つのＩＰカメラのＩＰカメラ識別子とを対応付けて記憶する。録画ファイル記憶部１２は、例えば、受信パケットのヘッダに含まれる送信元アドレスをＩＰカメラ識別子とし、当該受信パケットに含まれる単位映像データを書き込むべき録画ファイルの録画ファイル識別子と対応付けて記憶する。録画ファイル識別子とＩＰカメラ識別子との対応は、後述する時刻チェック管理テーブル１６に記憶される。
【００２１】
録画ファイル記憶部１２は、自身が記憶している送信元アドレスと、映像データ受信部１１によって受信されたパケットのヘッダに含まれる送信元アドレスとの比較によって、当該単位映像データに対応する録画ファイルが既に存在するか否かを判別することができる。
【００２２】
時刻書込み部１３は、映像データ受信部１１がＩＰカメラ２−１〜２−ｎのうちの１つから単位映像データのうちの１つを受信したときに、その時点の現在時刻を、録画ファイルのうちの当該１つのＩＰカメラに対応する１つに実録画開始時刻として書き込む（以下、開始時刻書込み手段と称する）。また、時刻書込み部１３は、当該１つの単位映像データを受信した時点から所定時間が経過したときに、その時点の現在時刻を当該１つの録画ファイルに実録画終了時刻として書き込む（終了時刻書込み手段と称する）。当該所定時間（以下、設定録画時間と称する）は、後述の録画スケジュール設定テーブル１５に設定されている。例えば、単位映像データが１秒などの単位撮像時間長に対応する映像データである場合には、設定録画時間はその単位時間の整数倍に設定し得る。
【００２３】
時刻チェック部１４は、実録画開始時刻と設定録画開始時刻とを比較して、その比較結果を表わす比較結果信号を生成する。また、時刻チェック部１４は、実録画終了時刻と設定録画終了時刻とを比較して、その比較結果を表わす比較結果信号を生成する。設定録画開始時刻及び設定録画終了時刻は、後述の録画スケジュール設定テーブル１５に設定されている。
【００２４】
時刻チェック部１４は、予め実録画開始時刻と設定録画開始時刻との間の誤差許容範囲として所定時間を設定しておき、実録画開始時刻と設定録画開始時刻との間に所定時間（以下、設定閾値時間と称する）以上の開きがある場合に、録画が設定スケジュールに従って正常に行われていないすなわち異常と判定する。例えば、実録画開始時刻が９時０５分、設定録画開始時刻が９時００分、設定閾値時間が３分である場合、実録画開始時刻と設定録画開始時刻との差は５分であり、設定閾値時間（３分）以上の開きがあるので、時刻チェック部１４は、異常と判定する。また、何らかの理由で正しく録画ファイルに実録画開始時刻が書き込まれていない場合などにより実録画開始時刻が得られない場合も異常と判定する。
【００２５】
実録画開始時刻と設定録画開始時刻との差が設定閾値時間以下である場合には、時刻チェック部１４は、録画が設定スケジュールに従って正常に行われていると判定する。
【００２６】
時刻チェック部１４は、実録画開始時刻と設定録画開始時刻との間の所定時間同様、予め実録画終了時刻と設定録画終了時刻との間に設定閾値時間を設定しておき、設定閾値時間以上の開きがある場合にも異常と判定する。例えば、実録画終了時刻が１６時５５分、設定録画開始時刻が１７時００分、設定閾値時間が３分である場合、実録画終了時刻と設定録画終了時刻との差は５分であり、設定閾値時間（３分）以上の開きがあるので、時刻チェック部１４は、異常表示信号を生成する。また、何らかの理由で正しく録画ファイルに実録画終了時刻が書き込まれていない場合などにより実録画開始時刻が得られない場合も異常と判定する。
【００２７】
実録画終了時刻と設定録画終了時刻との差が設定閾値時間以下である場合には、時刻チェック部１４は正常と判定する。
【００２８】
録画スケジュール設定テーブル１５は、ＩＰカメラ２−１〜２−ｎの各々を識別するためのＩＰカメラ識別子と、設定録画開始時刻、設定録画終了時刻、及び設定録画時間とを対応付けて記憶するテーブルである。設定録画開始時刻及び設定録画終了時刻は、予め設定された時刻である。図２は、録画スケジュール設定テーブルの一例を示す図である。例えば、ＩＰカメラ識別子Ｃ１には、設定録画開始時刻９：００、設定録画終了時刻１７：００、及び設定録画時間８時間が対応付けられている。設定録画時間は、設定録画開始時刻から設定録画終了時刻までの時間である。
【００２９】
時刻チェック管理テーブル１６は、録画ファイル識別子と、ＩＰカメラ識別子と、開始及び終了時刻チェックフラグとを対応付けて記憶するテーブルである。図３は、時刻チェック管理テーブルの一例を示す図である。開始時刻チェックフラグは、時刻チェック部１４による開始時刻のチェックがなされたか否かを示すものである。終了時刻チェックフラグは、時刻チェック部１４による終了時刻のチェックがなされたか否かを示すものである。図３においては、時刻比較がなされたものについては「済」、なされていないものについては「未」として示している。例えば、ＩＰカメラ識別子Ｃ１には、開始及び終了時刻チェックフラグ「済」が対応付けられている。
【００３０】
通知部１７は、時刻チェック部１４による時刻比較の結果を通知する。通知は、映像記憶システム１の運用者に対して例えばＥメールやアラーム音によってなされる。以下、時刻チェック部１４による比較手段と、通知部１７による通知手段とをまとめて比較通知手段と称する。
【００３１】
図４は、映像記憶装置４による録画ファイル生成処理ルーチンを示すフローチャートである。以下、図４を参照しつつ、録画ファイル生成処理について説明する。
【００３２】
先ず、映像データ受信部１１が、ＩＰカメラ２−１〜２−ｎのうちの１つから、単位映像データのうちの１つを受信する（ステップＳ１１）。当該単位映像データは、例えばパケットにより送信されたものである。以下、映像データ受信部１１がＩＰカメラ２−１から単位映像データを順次受信した場合について説明する。
【００３３】
次に、録画ファイル記憶部１２は、当該単位映像データに対応する録画ファイルが既に存在するか否かを判別する（ステップＳ１２）。録画ファイル記憶部１２は、録画ファイルが存在しないと判別した場合には、当該単位映像データに対応する録画ファイルを新たに生成する（ステップＳ１３）。録画ファイル記憶部１２は、当該録画ファイルを示す録画ファイル識別子と、ＩＰカメラ２−１のＩＰカメラ識別子とを対応付けて識別子時刻チェック管理テーブル１６に記憶する。
【００３４】
次に、時刻書込み部１３は、録画ファイル記憶部１２によって生成された録画ファイルに現在時刻を実録画開始時刻として書き込む（ステップＳ１４）。現在時刻が例えば９：００である場合、時刻書込み部１３は、録画ファイルに実録画開始時刻として９：００を書き込む。
【００３５】
次に、録画ファイル記憶部１２は、映像データ受信部１１によって受信された単位映像データの内容を当該録画ファイルに書き込む（ステップＳ１５）。また、録画ファイル記憶部１２は、ステップＳ１２において録画ファイルが既に存在すると判別した場合には、映像データ受信部１１によって受信された単位映像データの内容を当該録画ファイルに書き込む（ステップＳ１５）。
【００３６】
次に、時刻書込み部１３は、映像データ受信部１１がＩＰカメラ２−１から最初の単位映像データを受信した時点から所定の設定録画時間だけ経過したか否かを判別する（ステップＳ１６）。設定録画時間は、録画スケジュール設定テーブル１５に記憶されている。最初の単位映像データを受信した時点が例えば９：００であり、且つ設定録画時間が８時間である場合、時刻書込み部１３は、時刻９：００から８時間経過したか否かを判別する。時刻書込み部１３は、設定録画時間だけ経過したと判別した場合に、当該単位映像データを構成要素とする１つの録画ファイルに現在時刻（例えば時刻１７：００）を実録画終了時刻として書き込む（ステップＳ１７）。
【００３７】
時刻書込み部１３が現在時点において設定録画時間だけ経過していないと判別した場合、ステップＳ１１に戻り、後続の単位映像データを受信する。後続の単位映像データを受信した以降の処理も上記と同様になされる。映像記憶装置４は、上記の録画ファイル生成処理ルーチンを録画ファイル毎に実施する。上記した例はＩＰカメラ２−１からの単位映像データを受信した場合の例であるが、ＩＰカメラ２−２〜２−ｎのうちの１つからの単位映像データを受信した場合の処理も同様である。
【００３８】
図５は、映像記憶装置４による時刻チェック処理ルーチンを示すフローチャートである。以下、図５を参照しつつ、時刻チェック処理について説明する。時刻チェック部１４は、録画ファイル記憶部１２に記憶されている録画ファイルの各々について時刻チェックを順次行う。時刻チェック部１４は、録画ファイル毎に時刻チェック処理ルーチンを実行する。
【００３９】
先ず、時刻チェック部１４は、時刻チェック管理テーブル１６を参照し、録画ファイル識別子Ａ１に対応するＩＰカメラ識別子が「Ｃ１」であると判別する。そして、ＩＰカメラ識別子Ｃ１に対応する設定録画開始時刻９：００及び設定録画終了時刻１７：００を録画スケジュール設定テーブル１５から取得する（ステップＳ２１）。
【００４０】
次に、時刻チェック部１４は、識別子時刻チェック管理テーブル１６の「開始時刻チェックフラグ」を参照し、録画ファイル識別子Ａ１についての録画開始時刻チェックが既に行われているか否かを判別する（ステップＳ２２）。「開始時刻チェックフラグ」が「済」である場合、時刻チェック部１４は、録画開始時刻チェックが既に行われていると判別し、録画終了時刻チェック（ステップＳ２７）に移行する。
【００４１】
「開始時刻チェックフラグ」が「未」である場合、時刻チェック部１４は、録画開始時刻チェックが未だに行われていないと判別し、現在時刻が設定録画開始時刻９：００を過ぎているか否か判別する（ステップＳ２３）。現在時刻が例えば８：５０の場合、時刻チェック部１４は、設定録画開始時刻９：００を過ぎていないと判別し、録画ファイル識別子Ａ１に対応する時刻チェック処理を終了する。
【００４２】
現在時刻が例えば９：１０である場合、時刻チェック部１４は、現在時刻が設定録画開始時刻９：００を過ぎていると判別し、実録画開始時刻が正しいか否かを判別する（ステップＳ２４）。例えば、録画ファイル識別子Ａ１に対応する録画ファイルに書き込まれている実録画開始時刻が９：０５であり、且つ設定閾値時間が３分である場合、実録画開始時刻９：０５と設定録画開始時刻９：００との差は５分であり、設定閾値時間（３分）以上の開きがあるので、時刻チェック部１４は、実録画開始時刻は異常であると判定する。この場合、通知部１７は、実録画開始時刻が異常であることを映像記憶システム１の運用者に対して通知する（ステップＳ２５）。通知は、例えばＥメールによってなされる。
【００４３】
例えば、録画ファイル識別子Ａ１に対応する録画ファイルに書き込まれている実録画開始時刻が９：０１であり、且つ設定閾値時間が３分である場合、実録画開始時刻９：０１と設定録画開始時刻９：００との差は１分であり、設定閾値時間（３分）内に収まっているので、時刻チェック部１４は、実録画開始時刻は正常であると判定する（ステップＳ２４）。この場合、通知部１７は通知を行わない。
【００４４】
時刻チェック部１４は、チェック後、時刻チェック管理テーブル１６における録画ファイル識別子Ａ１に対応する開始時刻チェックフラグの欄にチェック済みであることを示す「済」を記憶させる（ステップＳ２６）。
【００４５】
次に、時刻チェック部１４は、識別子時刻チェック管理テーブル１６の「終了時刻チェックフラグ」を参照し、録画ファイル識別子Ａ１についての録画終了時刻チェックが既に行われているか否かを判別する（ステップＳ２７）。「終了時刻チェックフラグ」が「済」である場合、時刻チェック部１４は、録画終了時刻チェックが既に行われていると判別し、録画ファイル識別子Ａ１に対応する録画ファイルについての時刻チェック処理を終了する。
【００４６】
「終了時刻チェックフラグ」が「未」である場合、時刻チェック部１４は、録画終了時刻チェックが未だに行われていないと判別し、現在時刻が設定録画終了時刻１７：００を過ぎているか否か判別する（ステップＳ２３）。現在時刻が例えば１６：５０である場合、時刻チェック部１４は、設定録画終了時刻１７：００を過ぎていないと判別し、録画ファイル識別子Ａ１に対応する時刻チェック処理を終了する。
【００４７】
現在時刻が例えば１７：１０である場合、時刻チェック部１４は、現在時刻が設定録画終了時刻１７：００を過ぎていると判別し、実録画終了時刻が正しいか否かを判別する（ステップＳ２９）。例えば、録画ファイル識別子Ａ１に対応する録画ファイルに書き込まれている実録画終了時刻が１７：０５であり、且つ設定閾値時間が３分である場合、実録画終了時刻１７：０５と設定録画開始時刻１７：００との差は５分であり、設定閾値時間（３分）以上の開きがあるので、時刻チェック部１４は、実録画終了時刻は異常であると判定する。この場合、通知部１７は、実録画終了時刻が異常であることを映像記憶システム１の運用者に対して通知する（ステップＳ３０）。通知は、例えばＥメールによってなされる。
【００４８】
例えば、録画ファイル識別子Ａ１に対応する録画ファイルに書き込まれている実録画終了時刻が１７：０１であり、且つ設定閾値時間が３分である場合、実録画開始時刻１７：０１と設定録画開始時刻１７：００との差は１分であり、設定閾値時間（３分）内に収まっているので、時刻チェック部１４は、実録画終了時刻は正常であると判定する（ステップＳ２９）。この場合、通知部１７は通知を行わない。
【００４９】
時刻チェック部１４は、チェック後、時刻チェック管理テーブル１６における録画ファイル識別子Ａ１に対応する終了時刻チェックフラグの欄にチェック済みであることを示す「済」を記憶させる（ステップＳ３１）。以上で、映像記録装置４は、録画ファイル識別子Ａ１に対応する録画ファイルについての時刻チェック処理を終了する。
【００５０】
映像記録装置４は、録画ファイル識別子Ａ２〜Ａｎに対応する録画ファイルの各々についても、上記と同様に時刻チェック処理を順次行う。映像記録装置４は、各録画ファイルについての開始及び終了時刻チェック処理が完了するまで、所定時間毎に同様の時刻チェック処理を反復実行する。
【００５１】
上記したように、本実施例の映像記録装置４は、ＩＰカメラから受信した単位映像データを録画ファイルに書き込むと共に、実録画開始時刻及び実録画終了時刻を当該録画ファイルに書き込む。そして、実録画開始時刻と設定録画開始時刻とを比較し、更に実録画終了時刻と設定録画終了時刻とを比較して、その比較結果に基づいて映像記憶システム１の運用者に通知を行う。複数のＩＰカメラから単位映像データを受信した場合にも、録画ファイルの各々について同様の処理を実行する。
【００５２】
かかる構成によれば、映像記憶システム１の運用者自身が各録画ファイルについての録画開始及び終了時刻を確認せずとも、ＩＰカメラが設定スケジュール通りに動作しているか否かを簡単に確認することができる。また、ＩＰカメラが複数台ある場合でも、運用者は正常動作確認に時間を要しない。
【００５３】
なお、上記の例においては、時刻チェック部１４によって実録画終了時刻が正常であると判定された場合には通知部１７は通知を行わないが、この例に限らず、通知部１７は正常であることを通知しても良い。
【００５４】
＜変形例＞
第１の実施例では、録画スケジュール設定テーブル１５において、１つのＩＰカメラ識別子に対して１組の設定録画開始時刻、設定録画終了時刻、及び設定録画時間が対応付けられているが、以下のような構成としても良い。
【００５５】
図６は、録画スケジュール設定テーブル１５の別の一例を示す図である。ここでは、１つのＩＰカメラ識別子に対して複数組の設定録画開始時刻、設定録画終了時刻、及び設定録画時間が対応付けられている。図６の例は、５分刻みで１つの録画ファイルを作成し、各録画ファイルについて実録画開始時刻及び実録画終了時刻を書き込む場合の録画スケジュール設定例である。ＩＰカメラ識別子Ｃ１には、録画ファイル識別子Ａ１−１〜Ａ１−m（ｍは２以上の整数）が対応付けられている。時刻９：００〜時刻９：０５の期間における撮像によって得られた単位映像データを書き込むべき録画ファイルの識別子はＡ１−１である。同様に、５分刻みで録画ファイル識別子Ａ１−２〜Ａ１−mがＩＰカメラ識別子Ｃ１に対応付けられている。ＩＰカメラ識別子Ｃ２等についても同様に設定され得る。
【００５６】
映像記録装置４は、図４に示される録画ファイル生成処理ルーチンに従って、第１の実施例と同様の処理を行う。映像記録装置４は、ＩＰカメラ２−１〜２−ｎの１つから供給される単位映像データを含むべき録画ファイルを、設定録画開始時刻から設定録画終了時刻まで例えば５分刻みで生成し、録画ファイルの各々に実録画開始時刻及び実録画終了時刻を書き込む。
【００５７】
また、映像記録装置４は、図５に示される時刻チェック処理ルーチンに従って、第１の実施例と同様の処理を行う。映像記録装置４は、録画ファイル識別子Ａ１−１〜Ａ１−m、Ａ２−１、Ａ２−２、・・・に対応する録画ファイルの各々について開始時刻及び終了時刻のチェックを順次実行する。
【００５８】
図７は、図６に示される録画スケジュール設定テーブル１５に対応する時刻チェック管理テーブル１６の一例を示す図である。録画ファイル識別子Ａ１−１〜Ａ１−mの各々に対して、ＩＰカメラ識別子Ｃ１、開始時刻チェックフラグ、及び終了時刻チェックフラグが対応付けられている。ＩＰカメラ識別子Ｃ２等に関連する録画ファイル識別子等についても同様に記憶される。
【００５９】
このように、本変形例の映像記録装置４は、ＩＰカメラ２−１〜２−ｎの１つから供給される単位映像データについて、設定録画開始時刻から設定録画終了時刻まで例えば５分刻みで複数の録画ファイルを生成し、各録画ファイルに実録画開始時刻及び実録画終了時刻を書き込む。また、映像記録装置４は、録画ファイルの各々について開始時刻及び終了時刻のチェックを順次実行する。
【００６０】
かかる構成によれば、ＩＰカメラによる録画の開始及び終了時点だけでなく、その間の各時点においてもＩＰカメラが設定スケジュール通りに動作しているか否かのチェックを行うことができる。
【符号の説明】
【００６１】
１  映像記憶システム
２−１〜２−ｎ  ＩＰカメラ（撮像装置）
３  通信網
４  映像記録装置
１１  映像データ受信部
１２  録画ファイル記憶部
１３  時刻書込み部
１４  時刻チェック部
１５  録画スケジュール設定テーブル
１６  時刻チェック管理テーブル
１７  通知部
【図１】
2012170001.tif 000003
【図２】
2012170001.tif 000004
【図３】
2012170001.tif 000005
【図４】
2012170001.tif 000006
【図５】
2012170001.tif 000007
【図６】
2012170001.tif 000008
【図７】
2012170001.tif 000009